(57)【要約】      （修正有）【課題】食品などの包装用ラップフィルムに装飾性や意匠性などを加えた構造の包装用ラップを提供する。【解決手段】包装用ラップは、円筒形状の紙管部材１２と、該紙管部材上に巻回されて保持されるラップフィルム材１１とからなり、ラップフィルム材１１には着色料が含まれることを特徴とする。ラップフィルム材１１に着色料を有していることから、食品などの包装時に簡便にカラーで半透明な装飾性を加えることができ、包装用ラップで包まれた包装対象物を所持する者の趣味的な感性を高揚させることができる。【選択図】図２
0003147064.tif 000002
【実用新案登録請求の範囲】
【請求項１】
円筒形状の紙管部材と、該紙管部材上に巻回されて保持されるラップフィルム材とからなり、前記ラップフィルム材には着色料が含まれることを特徴とする包装用ラップ。
【請求項２】
前記着色料は、食品添加物として使用される食用色素であることを特徴とする請求項１記載の包装用ラップ。
【請求項３】
前記着色料は、水色系着色料とされ、所定のラッピング対象物を包んだときに水色の透過色を示すことを特徴とする請求項１記載の包装用ラップ。
【請求項４】
前記着色料は、桃色系着色料とされ、所定のラッピング対象物を包んだときに桃色の透過色を示すことを特徴とする請求項１記載の包装用ラップ。
【請求項５】
前記ラップフィルム材は、３層構造とされ、中間層には着色料が含まれることを特徴とする請求項１記載の包装用ラップ。
【考案の詳細な説明】
【技術分野】
【０００１】
本考案は食品包装などに使用される包装用ラップに関する。
【背景技術】
【０００２】
一般に、各種の生鮮食料品などを小売店から購入する場合や、家庭で作ったおにぎりなどの食品を取り扱う場合に、乾燥を防止したり、異物の混入を防止するために、包装用のラップフィルムが広く用いられている。ラップフィルムには、自己粘着性を有し、ストレッチ包装時に延伸ムラ、延伸切れ（延伸性）等を起こすことなく、かつ突起物に対する強度が強いことが要求される。
【０００３】
ところで、このようなラップフィルムは一般的には包装した中身の食品を目視で確認できるように透明とされており、例えばプラスチックトレイ上に鮮魚の刺身などを載せた状態でラップフィルムで覆って販売するような場合では、消費者は鮮魚の刺身の状態を透明なラップフィルムを介して把握しながら購入することができる。また、一般的には、透明とされるラップフィルムの一例として、遮光性を付与して、光による食品などの劣化を防止するような機能を有するラップフィルムも知られている（例えば、特許文献１参照。）。
【０００４】
【特許文献１】特開２００６−３６３５４号公報
【考案の開示】
【考案が解決しようとする課題】
【０００５】
前述の公報に記載される技術では、不透明に着色した食品包装用ラップフィルムを用いて食品を包装することにより、遮光と乾燥防止の両方を同時におこなうことができ、食品の鮮度を保持すると共に、経済的に遮光を行うこともできる。しかしながら、一般家庭でお弁当やおにぎりの包装のために食品包装用ラップフィルムを用いる場合では、遮光性などの機能は不要であり、多くとも数時間程度の乾燥防止や異物の混入防止などができれば問題は生じない。むしろ、一般家庭でお弁当やおにぎりなどの手作りの食品を搬送する場合には、中身と共に外側の包装材としての装飾性や意匠性などが運動会や遠足などの手作りの食品を持ち運びする状況に対して趣味感を増加させるように機能することになる。
【０００６】
そこで、本考案は上述の技術的な課題に鑑み、食品などの包装用ラップフィルムに装飾性や意匠性などを加えた構造の包装用ラップを提供することを目的とする。
【課題を解決するための手段】
【０００７】
上述の技術的な課題を解決するため、本考案の包装用ラップは、円筒形状の紙管部材と、該紙管部材上に巻回されて保持されるラップフィルム材とからなり、前記ラップフィルム材には着色料が含まれることを特徴とする。
【０００８】
本考案におけるラップフィルム材としては、一般的に用いられている、ポリエチレン樹脂、エチレン・酢酸ビニル共重合体系樹脂、ポリ塩化ビニル、ポリ塩化ビニリデン等からなるフィルムを使用することができ、また最近ではこのポリエチレン系樹脂やエチレン・酢酸ビニル共重合体系樹脂の他に、機械的強度、透明性、延伸性、粘着性等に優れることから、エチレン・α−オレフィン共重合体からなる直鎖状低密度ポリエチレン（ＬＬＤＰＥ）の単独またはエチレン・酢酸ビニル共重合体との混合物や積層物などを用いるようにすることもできる。
【０００９】
前記着色料としては、種々の着色料を使用することが可能であるが、一例としては、食品添加物として使用される食用色素を用いることができる。本考案の包装用ラップにおいて使用される食用色素の例としては、食品への添加が認められており、かつインク水溶液中に溶解する色素であれば何れも使用が可能であり、天然色素、有機合成色素、無機合成色素等が使用できる。使用しうる食用色素の具体例としては以下のものが挙げられる。まず、天然色素としては、赤色色素としてのラック色素、コチニール色素、紅麹色素、赤大根色素、ビート色素、ベニバナ色素、シソ色素、ムラサキイモ色素、ブドウ色素、アカネ色素、ベリー色素、トウガラシ色素、アナトー色素、ムラサキトウモロコシ色素等が、黄色色素としてのクチナシ色素、ベニバナ色素、ウコン色素、カロチノイド色素等が、緑色素としてのクチナシ色素、ベニコウジ色素、クロロフィル色素等が、青色色素としてのクチナシ色素、スピルリナ色素等が、茶色としてのカカオ色素、タマリンド色素、カキ色素、コウリャン色素等が、黒色色素としてのイカスミ色素、植物炭末色素等がそれぞれあげられる。又食用有機合成色素の具体例としては黄色５号、赤色２号、赤色３号、赤色４０号、赤色１０２号、赤色１０３号、赤色１０４号、赤色１０５号、赤色１０６号、青色１号、青色２号等が挙げられる。これらの食用色素のうち、より高い食品安全性を確保する観点から、天然色素がより好ましく、更に水に溶解して溶液となる色素が特に好ましい。又、これらの食用色素は単独で使用することも、また一種又は二種以上を任意に組み合わせて使用することも出来る。これらの食用色素は市場から容易に入手が可能である。
【００１０】
本考案の包装用ラップは、着色料としては、例えば水色系着色料を選択して、所定のラッピング対象物を包んだときに水色の透過色を示すようにすることもでき、さらに、例えば桃色系着色料を選択して所定のラッピング対象物を包んだときに桃色の透過色を示すように構成することもできる。保育園児や幼稚園児などの年齢の低いものに対するおにぎりなどの包装材として、男の子には水色の透過色を示す包装用ラップを使用し、女の子には桃色の透過色を示す包装用ラップを使用することで、子供たちに透過色の装飾性に由来する楽しさを供与することが可能である。
【００１１】
また、本考案の包装用ラップは、３層構造とされ、中間層には着色料が含まれる構造としても良く、この場合には、中間層は食品に接しない部分となることから、着色料の選択の幅を広くすることも可能であり、中間層自体をキャラクターや広告などを印刷した印刷層とすることも可能である。
【考案の効果】
【００１２】
本考案の包装用ラップによれば、ラップフィルム材に着色料を有していることから、食品などの包装時に簡便にカラーで半透明な装飾性を加えることができ、本考案の包装用ラップで包まれた包装対象物を所持する者の趣味的な感性を高揚させることができる。
【考案を実施するための最良の形態】
【００１３】
本考案の包装用ラップの好適な実施形態を図面を参照しながら説明する。
【００１４】
図１は、本考案の実施形態にかかる包装用ラップを当該包装用ラップを収納する収納ケースと共に示す斜視図であり、図２は本考案の実施形態にかかる包装用ラップを示す斜視図である。本実施形態の包装用ラップ１０は、図２に示すように、円筒形状の紙管部材１２と、該紙管部材１２上に巻回されて保持されるラップフィルム材１１とからなり、このラップフィルム材１１には例えば当該フィルム材を水色若しくは桃色の半透明にするような着色料が含まれている。
【００１５】
円筒形状の紙管部材１２は、ラップフィルム材１１の心材として機能する部材であり、固めの紙材などを円筒形状にしたものであって、周側面上にラップフィルム材１１を巻きつける構造を有している。材質は、紙に限定されず、軽量な合成樹脂や木材などの材料であっても良い。
【００１６】
ラップフィルム材１１は、紙管部材１２上に巻回されて保持される樹脂フィルムであり、例えばポリエチレン樹脂、エチレン・酢酸ビニル共重合体系樹脂、ポリ塩化ビニル、ポリ塩化ビニリデン等からなるフィルムを使用することができ、また最近ではこのポリエチレン系樹脂やエチレン・酢酸ビニル共重合体系樹脂の他に、機械的強度、透明性、延伸性、粘着性等に優れることから、エチレン・α−オレフィン共重合体からなる直鎖状低密度ポリエチレン（ＬＬＤＰＥ）の単独またはエチレン・酢酸ビニル共重合体との混合物や積層物などを用いるようにすることもできる。
【００１７】
一般には、ラップフィルム材１１は無色で透明なフィルムとして市販されているが、本実施形態においては、フィルム材自体には水色若しくは桃色の半透明にするような着色料が含まれている。このような着色料としては、種々のものを使用することができるが、天然色素、有機合成色素、無機合成色素等が使用できる。ラップフィルム材１１自体は、単層構造とすることもでき、後述するように３層構造とすることもできる。例えば、ラップフィルム材１１を単層構造とする場合では、着色料の一例としては、食品添加物として使用される人体に摂取されても無害な食用色素などを用いることができる。ラップフィルム材１１を水色若しくは桃色の半透明にするような着色料が含ませることで、ラップフィルム材１１で包装した場合には、やや薄い水色若しくは桃色の半透明の包装ができることになり、特にフィルムが重なった部分では、水色や桃色の色合いが鮮やかに出現して、包装対象物にカラーで半透明な装飾性を加えることができ、所持する者の趣味的な感性を高揚させることができる。
【００１８】
紙管部材１２上に巻回されたラップフィルム材１１は、図１に示すように、細長い矩形状の収納容器１３に回転可能に収納され、一部に形成された開口部（図示せず。）から収納容器１３の外部に引き出せるように構成されている。収納容器１３の外部に引き出された着色料により半透明のラップフィルム材１１は、通常のラップフィルムと同様に、収納容器１３の上端辺部１６に形成された鋸歯状の帯部材に当接され、引っ張るようにすることで簡単に切断が可能とされる。
【００１９】
収納容器１３の上面の一部には、内部を見せるような窓部１４が形成され、当該収納容器１３の外部からでも着色料により半透明のラップフィルム材１１を確認することができる。このような窓部１４を設けることで、収納されている半透明のラップフィルム材１１の色を確認することができ、さらに色の濃度から半透明のラップフィルム材１１の残量も知ることができる。また、収納容器１３の上面の一部には、印刷が施され、例えば水色の半透明するような着色料を含ませたラップフィルム材１１を収納する容器に対しては、男の子のマークやイラスト１５を付与することができる。
【００２０】
図３及び図４は、収納容器１３の上面の一部に施されるイラストの例を示したものであり、図３は男の子のイラスト１５ｂを示しており、図４は女の子のイラスト１５ｇを示している。一般的に、低い年齢の保育園児や幼稚園児などの間では、男の子に対して水色や青色が好まれて使用されており、女の子に対して桃色や赤色が好まれて使用されていることから、これらのイラスト１５ｂ、１５ｇに合わせて水色系の半透明や桃色系の半透明となるようなラップフィルム材１１を収納させることで、収納容器１３の上面のイラストを見ればカラーが識別できるため、特に家庭での使用に際して便利である。
【００２１】
本実施形態では、着色の代表例として、男の子用と女の子用に水色系の半透明や桃色系の半透明となるようなラップフィルム材１１を用いる例について説明したが、これら以外にも他の着色料により、種々の使用法が考えられる。例えば、小売店の特売品のラッピングを他のラッピングと区別するために赤系統のラッピングにしたりすることもでき、例えば本考案の包装ラップを中身の食材の色を変換するような色フィルターとして機能させて、より食材をおいしく見せるような包装も可能である。
【００２２】
また、上述の実施形態では、本考案の包装ラップのラップフィルム材１１を単層として説明したが、例えば図５に示すような３層構造とすることができ、上層２３と下層２１を通常のラップフィルム材により構成し、中間層２２を前述のような着色料を含む半透明となるラップフィルム材で構成することもできる。この場合には、中間層２２は食品等に接しない部分となることから、着色料の選択の幅を広くすることも可能である。また、中間層２２自体をキャラクターやメッセージ、広告などを印刷した印刷層とすることも可能であり、着色料は印刷パターンに従って偏在するようなものであっても良い。この印刷層とする場合には、単色に限定されず多色であっても良い。
【００２３】
なお、本考案の包装ラップは、主に食品などを包装するものとして説明したが、用途はこれに限定されず、例えば美容やその他の通常の包装ラップが使用されるような用途であれば、適用することができることは言うまでもないことである。
【図面の簡単な説明】
【００２４】
【図１】本考案の実施形態にかかる包装用ラップを当該包装用ラップを収納する収納ケースと共に示す斜視図である。
【図２】本考案の実施形態にかかる包装用ラップを示す斜視図である。
【図３】本考案の実施形態にかかる包装用ラップにかかる収納容器の上面の一部に施される男の子のイラストの例を示した図である。
【図４】本考案の実施形態にかかる包装用ラップにかかる収納容器の上面の一部に施される女の子のイラストの例を示した図である。
【図５】本考案の包装ラップの変形例としてラップフィルム材を３層構造とした例の模式的な断面図である。
【符号の説明】
【００２５】
１０  包装用ラップ
１１  ラップフィルム材
１２  紙管部材
１３  収納容器
１４  窓部
１５  イラスト
１６  上端辺部
２１  下層
２２  中間層
２３  上層
【図１】
0003147064.tif 000003
【図２】
0003147064.tif 000004
【図３】
0003147064.tif 000005
【図４】
0003147064.tif 000006
【図５】
0003147064.tif 000007